(57)【要約】【課題】交換レンズからの情報をカメラボディへ送信するアダプターを提供する。【解決手段】カメラボディに着脱可能な第１着脱部と交換レンズに着脱可能な第２着脱部とを有するアダプターは、前記交換レンズ内の被駆動部材に関する第一信号を、前記交換レンズから受信する第一受信端子と、前記第一信号を第二信号に変換する変換部と、前記カメラボディへクロック信号を送信する第一送信端子と、前記第二信号を、前記クロック信号に同期させて前記カメラボディへ送信する第二送信端子と、を備える。【選択図】図２
2020013087.tif 000002
【特許請求の範囲】
【請求項１】
カメラボディに着脱可能な第１着脱部と交換レンズに着脱可能な第２着脱部とを有するアダプターであって、
前記交換レンズ内の被駆動部材に関する第一信号を、前記交換レンズから受信する第一受信端子と、
前記第一信号を第二信号に変換する変換部と、
前記カメラボディへクロック信号を送信する第一送信端子と、
前記第二信号を、前記クロック信号に同期させて前記カメラボディへ送信する第二送信端子と、
を備えるアダプター。
【請求項２】
前記変換部は、前記第一信号を前記第二信号に変換するか否かを切替可能であり、
前記第一信号は、前記第一送信端子と前記第二送信端子を介して、前記カメラボディへ送信される、請求項１に記載のアダプター。
【請求項３】
前記カメラボディから指示を受信する第二受信端子を備え、
前記指示は、前記変換部により前記第一信号を前記第二信号に変換するか否かの指示である、請求項２に記載のアダプター。
【請求項４】
前記カメラボディから指示を受信する第二受信端子を備え、
前記指示は、前記被駆動部材の駆動に関する駆動指示であり、
前記駆動指示を前記交換レンズへ送信する第三送信端子を備える、請求項１から３のいずれか一項に記載のアダプター。
【請求項５】
前記第一信号はパルス信号であり、
前記第二信号は前記パルス信号から算出される、請求項１から４のいずれか一項に記載のアダプター。
【請求項６】
前記第一受信端子の数は２つであり、
前記第一信号はパルス信号であり、
前記第一送信端子と前記第二送信端子とで、前記第一信号としての前記パルス信号を前記カメラボディへ送信する、請求項１から５のいずれか一項に記載のアダプター。
【請求項７】
前記第一信号は、前記被駆動部材の位置に基づく信号である、請求項１から６のいずれか一項に記載のアダプター。
【請求項８】
前記第一信号は、前記被駆動部材の移動方向と移動量を示し、
前記第二信号は、前記被駆動部材の移動量を示す、請求項１から７のいずれか一項に記載のアダプター。
【発明の詳細な説明】
【技術分野】
【０００１】
本発明は、アダプターに関する。
【背景技術】
【０００２】
カメラボディのマウント規格と異なるマウント規格を有する交換レンズを、前記カメラボディに装着するためのアダプターが知られている（特許文献１参照）。単にマウント形状を適合させるのみでは、交換レンズとカメラボディとの間の通信を行えない。
【先行技術文献】
【特許文献】
【０００３】
【特許文献１】特開２００６−２１５３１０号公報
【発明の概要】
【０００４】
本発明の一態様によるアダプターは、カメラボディに着脱可能な第１着脱部と交換レンズに着脱可能な第２着脱部とを有するアダプターであって、前記交換レンズ内の被駆動部材に関する第一信号を、前記交換レンズから受信する第一受信端子と、前記第一信号を第二信号に変換する変換部と、前記カメラボディへクロック信号を送信する第一送信端子と、前記第二信号を、前記クロック信号に同期させて前記カメラボディへ送信する第二送信端子と、を備える。
【図面の簡単な説明】
【０００５】
【図１】カメラシステムを例示する斜視図である。
【図２】カメラシステムの要部構成を説明するブロック図である。
【図３】コマンドデータ通信とホットライン通信を例示するタイミングチャートである。
【図４】ホットライン通信のタイミングを例示する図である。
【発明を実施するための形態】
【０００６】
以下、図面を参照して発明を実施するための形態について説明する。
図１は、発明の一実施の形態によるカメラシステム１の構成を示す斜視図である。カメラシステム１は、カメラボディ２と、交換レンズ６と、カメラボディ２と交換レンズ６との間に設けられるアダプター５と、を備えている。カメラボディ２には、カメラボディ２のマウント規格に適合する交換レンズ、または、アダプター５が着脱可能である。アダプター５には、カメラボディ２のマウント規格とは異なるマウント規格の交換レンズ６が着脱可能である。
【０００７】
カメラボディ２とアダプター５との結合は、ボディ側マウント２１０とアダプター５の第１マウント５１０のバヨネット構造により行われる。カメラボディ２とアダプター５とが結合すると、ボディ側マウント２１０と第１マウント５１０とにそれぞれ設けられた端子（図２の１１〜１６と２１〜２６）同士が物理的に接触し、電気的に接続される。
また、交換レンズ６とアダプター５との結合は、レンズ側マウント６１０とアダプター５の第２マウント５２０のバヨネット構造により行われる。交換レンズ６とアダプター５とが結合すると、レンズ側マウント６１０と第２マウント５２０とにそれぞれ設けられた端子（図２の２７〜３１と４１〜４５）同士が物理的に接触し、電気的に接続される。なお、図２では各信号を入出力する箇所に端子１１〜１６，２１〜３１，４１〜４５を記載したが、各端子は各マウントに設けられているものとする。
【０００８】
ボディ側マウント２１０のマウント規格と、レンズ側マウント６１０のマウント規格とは、互いに異なる。マウント規格には、例えば、マウント形状、カメラボディと交換レンズ間の通信規格などが含まれる。そのため、交換レンズ６をカメラボディ２に直接装着して使用することはできない。アダプター５は、カメラボディ２と交換レンズ６とを間接的に装着可能にする。さらに、アダプター５は、通信規格の異なるカメラボディ２と交換レンズ６との通信を可能とする。
【０００９】
例えば、カメラボディ２から交換レンズ６への指示等は、カメラボディ２がアダプター５へカメラボディ２の通信規格により送信する。アダプター５は、カメラボディ２から受信した指示等を交換レンズ６の通信規格に変換して交換レンズ６へ送信する。一方、交換レンズ６からカメラボディ２へ送信される情報等は、交換レンズ６からアダプター５へ交換レンズ６の通信規格により送信する。アダプター５は、交換レンズ６から受信した情報等をカメラボディ２の通信規格に変換してカメラボディ２へ送信する。また、アダプター５は、交換レンズ６から受信した情報等の一部を、カメラボディ２の通信規格に変換せずにカメラボディ２へ送信することもできる。
【００１０】
図２は、カメラシステム１の要部構成を説明するブロック図である。
＜カメラボディ＞
カメラボディ２は、ボディ側制御部２３０、ボディ側通信部２４０、電源部２５０、撮像素子２６０、信号処理部２７０、操作部材２８０、および表示部２９０を有する。
【００１１】
ボディ側制御部２３０は、マイクロコンピュータおよびその周辺回路等から構成される。ボディ側制御部２３０は、内部の記憶部２３５に記憶されている制御プログラムを実行してカメラボディ２の各部を制御する。ボディ側制御部２３０は、ボディ側通信部２４０、電源部２５０、撮像素子２６０、信号処理部２７０、操作部材２８０、表示部２９０と接続される。
【００１２】
ボディ側制御部２３０は、記憶部２３５を含む。記憶部２３５は、ボディ側制御部２３０によってデータの記録と読み出しが制御される。記憶部２３５は、ボディ側制御部２３０が実行する制御プログラム等を記憶する他に、アダプター５や交換レンズ６の情報等を記憶することができる。
【００１３】
ボディ側通信部２４０は、ボディ側マウント２１０に備えられた少なくとも６つの端子１１〜１６を含み、ボディ側第１通信部２４０ａおよびボディ側第２通信部２４０ｂを有する。ボディ側第１通信部２４０ａはアダプター５のアダプター側第１通信部５３４と、ボディ側第２通信部２４０ｂはアダプター５のアダプター側第２通信部５４０と、それぞれ端子同士が接続される。図２では端子間の信号の送受信を矢印で示す。
【００１４】
ボディ側第１通信部２４０ａは、アダプター側第１通信部５３４との間で第１通信を行う。第１通信は、カメラボディ２からアダプター５を介して交換レンズ６へ指示を送信し、カメラボディ２と交換レンズ６との間でアダプター５を介したデータの送受信を行うコマンドデータ通信である。ボディ側第１通信部２４０ａの端子１１には、アダプター側第１通信部５３４が第１通信可能であるか否かを示す信号（以下、ＲＤＹ信号）が入力される。ボディ側第１通信部２４０ａの端子１２は、ＲＤＹ信号により第１通信可能と判断すると、アダプター側第１通信部５３４に向けて第１通信のクロック信号（以下、ＣＬＫ信号）を出力する。また、ボディ側第１通信部２４０ａの端子１３は、アダプター側第１通信部５３４に向けてＣＬＫ信号に同期させて第１通信のデータ信号（以下、ＤＡＴＡＢ信号）を出力する。また、ボディ側第１通信部２４０ａの端子１４には、アダプター側第１通信部５３４からＣＬＫ信号に同期させて第１通信のデータ信号（以下、ＤＡＴＡＬ信号）が入力される。
【００１５】
ボディ側第２通信部２４０ｂは、アダプター側第２通信部５４０との間で第２通信を行う。第２通信は、アダプター５を介して交換レンズ６からのデータを受信するホットライン通信である。ボディ側第２通信部２４０ｂの端子１５，１６は、第２通信で、アダプター５が交換レンズ６からの信号を変換しないままのパルス信号を受信可能であり、アダプター５が交換レンズ６からのパルス信号を変換したホットラインデータ信号をシリアル通信で受信可能である。ボディ側第２通信部２４０ｂで受信したパルス信号およびホットラインデータ信号は、ボディ側制御部２３０に出力される。ボディ側制御部２３０は、入力したパルス信号からフォーカシングレンズ６６１の移動方向と移動量を認識でき、自動焦点調節制御等を行う。また、ボディ側制御部２３０は、入力したパルス信号からフォーカシングレンズ６６１の移動量を認識でき、自動焦点調節制御等を行う。
ホットラインデータ信号を受信する場合、ボディ側第２通信部２４０ｂの端子１５，１６には、アダプター側第２通信部５４０から、第２通信のクロック信号（以下、ＨＣＬＫ信号）と、ＨＣＬＫ信号に同期させたホットラインデータ信号（以下、ＨＤＡＴＡ信号）とが入力される。パルス信号を受信する場合、ボディ側第２通信部２４０ｂの端子１５，１６には、アダプター側第２通信部５４０から、交換レンズ６から出力されたパルス信号が入力される。
第１通信および第２通信は、カメラボディ２の通信規格に基づく通信である。
【００１６】
電源部２５０は、不図示の電池の電圧をカメラシステム１の各部で使用される電圧に変換し、カメラボディ２の各部、アダプター５、および、アダプター５を介して交換レンズ６へ供給する。電源部２５０は、ボディ側制御部２３０の指示により、給電先ごとに給電のオンとオフとを切換え可能である。
【００１７】
撮像素子２６０は、例えばＣＭＯＳイメージセンサやＣＣＤイメージセンサ等の固体撮像素子である。撮像素子２６０は、ボディ側制御部２３０からの制御信号により、撮像面の被写体像を撮像して撮像信号を出力する。撮像素子２６０は、ボディ側制御部２３０の他に信号処理部２７０と接続される。
【００１８】
撮像素子２６０は、画像生成用の画素（撮像用画素と称する）と焦点検出用の画素（焦点検出用画素と称する）を有する。撮像用画素で生成される信号（以下、撮像用画素信号と呼ぶ）は、後述する信号処理部２７０によって画像データの生成に用いられる。また、焦点検出用画素で生成される信号（以下、焦点検出用画素信号と呼ぶ）は、後述する信号処理部２７０によって交換レンズ６による像の結像状態、換言すると焦点を検出する焦点検出処理に用いられる。
【００１９】
信号処理部２７０は、撮像素子２６０から出力された撮像用画素信号に対して所定の画像処理を行って画像データを生成する。生成された画像データは、不図示の記憶媒体に所定のファイル形式で記録されたり、表示部２９０による画像表示に用いられたりする。信号処理部２７０は、ボディ側制御部２３０、撮像素子２６０、の他に、表示部２９０と接続される。
【００２０】
また、信号処理部２７０は、撮像素子２６０から出力された焦点検出用画素信号を用いて、交換レンズ６のデフォーカス量を算出し、ボディ側制御部２３０に出力する。ボディ側制御部２３０は、算出したデフォーカス量と、交換レンズ６におけるフォーカシングレンズ６６１の位置とに基づいて、焦点調節時のフォーカシングレンズ６６１の移動量を算出する。算出されたフォーカシングレンズ６６１の移動量に基づくフォーカス駆動指示は、ボディ側制御部２３０からボディ側第１通信部２４０ａを介してアダプター側第１通信部５３４へ送信される。
【００２１】
レリーズボタンや操作スイッチ等を含む操作部材２８０は、カメラボディ２の外装面に設けられる。ユーザは、操作部材２８０を操作することにより、撮影指示や撮影条件の設定指示等を行う。操作部材２８０は、ユーザの操作に応じた操作信号をボディ側制御部２３０へ送出する。
表示部２９０は、例えば液晶表示パネルによって構成される。表示部２９０は、ボディ側制御部２３０からの指示により、信号処理部２７０によって処理された画像データに基づく画像や、操作メニュー画面等を表示する。
【００２２】
＜アダプター＞
アダプター５は、アダプター側制御部５３０、アダプター側第２通信部５４０、アダプター側記憶部５５０、およびスイッチ５６０を有する。アダプター側制御部５３０は、アダプター側第２通信部５４０、アダプター側記憶部５５０、スイッチ５６０、カメラボディ２のボディ側第１通信部２４０ａおよび交換レンズ６のレンズ側通信部６３４と接続される。
【００２３】
アダプター側制御部５３０は、アダプター側第１通信部５３４、マイクロコンピュータ、記憶部およびその周辺回路等から構成される。アダプター側制御部５３０は、アダプター側記憶部５５０に記憶されている制御プログラムを実行してスイッチ５６０を開閉制御するとともに、アダプター側第２通信部５４０を制御する。
【００２４】
アダプター側制御部５３０は、第１マウント５１０に備えられた少なくとも４つの端子２１〜２４を含むアダプター側第１通信部５３４を備える。アダプター側第１通信部５３４は、ボディ側第１通信部２４０ａと端子同士が接続されて第１通信を行う。つまり、アダプター側制御部５３０の端子２１〜２４は、ボディ側第１通信部２４０ａからのＣＬＫ信号とＤＡＴＡＢ信号とを受信し、ボディ側第１通信部２４０ａにＲＤＹ信号とＤＡＴＡＬ信号を送信する。
【００２５】
また、アダプター側第１通信部５３４は、第２マウント５２０に備えらえた３つの端子２７〜２９を含み、交換レンズ６のレンズ側通信部６３４の端子４１〜４３と接続されて第３通信を行う。アダプター側第１通信部５３４の端子２８は、第３通信のクロック信号（以下、ＣＬＫ´信号）をレンズ側通信部６３４に出力する。アダプター側第１通信部５３４の端子２９は、第３通信でアダプター５と交換レンズ６との間で送受信されるデータ信号（以下、ＤＡＴＡ信号）をレンズ側通信部６３４との間で送受信する。アダプター側第１通信部５３４の端子２７は、第３通信でアダプター５と交換レンズ６との間でデータ信号の送受信可否を示す信号（以下、Ｒ／Ｗ信号）をレンズ側通信部６３４との間で送受信する。例えば、Ｒ／Ｗ信号がＨレベルの場合は、アダプター側第１通信部５３４からレンズ側通信部６３４へＤＡＴＡ信号が送信可能になり、Ｒ／Ｗ信号がＬレベルの場合は、レンズ側通信部６３４からアダプター側第１通信部５３４へＤＡＴＡ信号が送信可能になる。
【００２６】
第３通信は、交換レンズ６の通信規格に基づく通信である。アダプター側制御部５３０は、カメラボディ２との第１通信により受信した指示やデータを変換し、第３通信で交換レンズ６に送信する。また、アダプター側制御部５３０は、交換レンズ６との第３通信により受信したデータなどを変換し、第１通信でカメラボディ２に送信する。
上述したように、カメラボディ２の通信規格と交換レンズ６の通信規格が異なる。そのため、アダプター側第１通信部５３４は、ボディ側第１通信部２４０ａから第１通信により送信された指示等を変換して、第３通信によりレンズ側通信部６３４へ送信する。第３通信と第１通信とは、第１通信がＤＡＴＡＬ信号およびＤＡＴＡＢ信号による全二重方式の通信を行うのに対し、第３通信がＤＡＴＡ信号による半二重方式の通信を行う点において相違する。
【００２７】
アダプター側第２通信部５４０は第１マウント５１０に備えらえた少なくとも２つの端子２５，２６を含み、カメラボディ２のボディ側第２通信部５４０ｂの端子１５，１６と接続されて第２通信を行う。つまり、アダプター側第２通信部５４０の端子２５，２６は、ボディ側第２通信部５４０ｂへＨＤＡＴＡ信号とＨＣＬＫ信号とを送信する。アダプター側第２通信部５４０は第２マウント５２０に備えられた少なくとも２つの端子３０，３１を含み、交換レンズ６の検出部６７５と端子４４，４５を介して接続され、検出部６７５からの検出信号（以下、パルス信号Ｓｉｇ１、Ｓｉｇ２）が入力される。アダプター側第２通信部５４０は、その内部に変換部５４４と切替え部５４６とを有する。変換部５４４は、交換レンズ６の検出部６７５から入力されたパルス信号をＨＤＡＴＡ信号へと変換する。
【００２８】
また、切替え部５４６は、アダプター側第２通信部５４０からボディ側第２通信部２４０ｂへ送信する信号の種類を切替え可能である。具体的には、変換部５４４による変換後のＨＤＡＴＡ信号をボディ側第２通信部２４０ｂへ送信するか、変換部５４４による変換前の信号、すなわち交換レンズ６の検出部６７５から入力されたパルス信号をそのままボディ側通信部２４０へ送信するか、の切替えを行う。アダプター側第２通信部５４０はアダプター側制御部５３０と接続され、切替え部５４６に対する切替え指示は、アダプター側制御部５３０によって行われる。
【００２９】
アダプター側記憶部５５０は、不揮発性の記憶媒体によって構成される。アダプター側記憶部５５０は、アダプター側制御部５３０によってデータの記録と読み出しが制御される。アダプター側記憶部５５０は、アダプター側制御部５３０が実行する制御プログラム等を記憶する他に、アダプター５の機種名を示すデータ（機種名情報）等を記憶することができる。
【００３０】
スイッチ５６０は、カメラボディ２から供給された電力を交換レンズ６へ供給するか否かを切替えるスイッチである。スイッチ５６０は、例えば、ＦＥＴ（電界効果トランジスタ）を用いた半導体スイッチ素子により構成される。スイッチ５６０は、アダプター側制御部５３０から入力される制御信号によりオン、オフが制御される。スイッチ５６０がオンの状態で、カメラボディ２からアダプター５へ供給された電力が交換レンズ６へ供給され、スイッチ５６０がオフの状態で、交換レンズ６への電力供給が遮断される。
【００３１】
＜交換レンズ＞
交換レンズ６は、レンズ側制御部６３０、レンズ側記憶部６５０、撮像光学系６６０、およびレンズ駆動部６７０を含む。
【００３２】
レンズ側制御部６３０は、マイクロコンピュータおよびその周辺回路等から構成される。レンズ側制御部６３０は、レンズ側記憶部６５０、レンズ駆動部６７０、アダプター５のアダプター側第１通信部５３４と接続される。
レンズ側制御部６３０は、レンズ側記憶部６５０に記憶されている制御プログラムを実行して交換レンズ６の各部を制御する。また、レンズ側制御部６３０は、第３通信でアダプター５から送信される指示等により、例えば、フォーカシングレンズ６６１を移動させるなどの動作を実行する。
【００３３】
レンズ側通信部６３４は、レンズ側マウント６１０に備えられた少なくとも３つの端子４１〜４３を含み、アダプター側第１通信部５３４の端子２７〜２９と接続されて第３通信を行う。つまり、レンズ側通信部６３４の端子４１〜４３は、ＣＬＫ´信号を受信し、Ｒ／Ｗ信号とＤＡＴＡ信号を送受信する。レンズ側通信部６３４は、アダプター側第１通信部５３４を介してボディ側第１通信部２４０ａからコマンドデータ通信で指示やデータ等を受信する。ボディ側第１通信部２４０aからコマンドデータ通信で送信される指示には、交換レンズ６に対する指示と、アダプター５に対する指示が含まれる。アダプター５に対する指示には、アダプター側第２通信部５４０からボディ側第２通信部２４０ｂへ送信する信号の種類の切替え指示等が含まれる。また、レンズ側通信部６３４は、アダプター側第１通信部５３４を介したコマンドデータ通信によりボディ側第１通信部２４０ａに交換レンズ６からのデータ等を送信する。
【００３４】
レンズ側記憶部６５０は、不揮発性の記憶媒体によって構成される。レンズ側記憶部６５０は、レンズ側制御部６３０によってデータの記録と読み出しが制御される。レンズ側記憶部６５０は、レンズ側制御部６３０が実行する制御プログラム等を記憶する他に、交換レンズ６の機種名を示すデータ（機種名情報）や、撮像光学系６６０の光学特性を示すデータ等を記憶することができる。
【００３５】
撮像光学系６６０は、カメラボディ２の撮像素子２６０の撮像面２６０Ｓに被写体像を結像させる。撮像光学系６６０は、複数のレンズからなり、焦点調節時に光軸Ｏ方向に移動可能なフォーカシングレンズ６６１を含む。フォーカシングレンズ６６１は、レンズ駆動部６７０により、光軸Ｏ方向に移動される。フォーカシングレンズ６６１が移動することにより、撮像光学系６６０の焦点位置が調節される。
【００３６】
レンズ駆動部６７０は、モータまたはアクチュエータとレンズ駆動機構とによって構成される。レンズ駆動部６７０は、レンズ側制御部６３０から出力される駆動信号に基づいて、フォーカシングレンズ６６１を光軸Ｏ方向に沿って移動させる。フォーカシングレンズ６６１の光軸Ｏ方向の移動に伴い、レンズ駆動部６７０に設けられた検出部６７５から周期的にパルス信号が出力される。検出部６７５は、２系統のエンコーダーを備え、２つのパルス信号Ｓｉｇ１、Ｓｉｇ２を、互いの周期信号の位相が１／４周期ずれるように出力する。検出部６７５は、レンズ側マウント６１０に備えらえた少なくとも２つの端子４４，４５に接続され、アダプター側第２通信部５４０の端子３０，３１と接続されてパルス信号Ｓｉｇ１、Ｓｉｇ２を出力可能である。
従って、カメラボディ２またはアダプター５は、検出部６７５からのパルス信号に基づいて、フォーカシングレンズ６６１の移動方向と移動量とを求めることができる。また、アダプター５は、ＨＣＬＫ信号の周期の間に検出部６７５から入力されたパルスの数に基づいて、フォーカシングレンズ６６１の移動量を求めることができる。さらに、カメラボディ２が検出部６７５からのパルス信号を受信する場合、撮像素子２６０の電荷蓄積周期などに合わせてフォーカシングレンズ６６１の移動方向と移動量とを求めることができる。
【００３７】
＜カメラボディ２の通信規格に基づく第１通信と第２通信の説明＞
カメラボディ２の通信規格に基づく第１通信と、第２通信を説明する。
カメラボディ２とアダプター５は、第１通信と第２通信の、２つの通信系統を備える。また、交換レンズ６は、アダプター側第１通信部５３４との間で第３通信を行うレンズ側通信部６３４と、アダプター側第２通信部５４０にパルス信号を送信する検出部６７５とを、備える。従って、カメラボディ２と交換レンズ６とは、アダプター５を介して２つの通信を並行して行うことができる。つまり、カメラボディ２および交換レンズ６は、アダプター５を介して、コマンドデータ通信を行っているときにホットライン通信を開始することも終了することもできる。また、ホットライン通信を行っているときにコマンドデータ通信を行うことも可能である。従って、交換レンズ６は、アダプター５を介して、コマンドデータ通信中であってもホットライン通信またはパルス信号でカメラボディ２にデータを継続的に送信することができる。例えば、データ量の増大によりコマンドデータ通信に要する時間が長くなっても、ホットライン通信またはパルス信号の送信を必要なタイミングで行うことができる。
さらに、カメラボディ２は、ホットライン通信またはパルス信号を受信している間であっても、コマンドデータ通信で、交換レンズ６に対する指示を任意のタイミングでアダプター５を介して第３通信で送信することができるとともに、アダプター５を介した第３通信により、交換レンズ６から任意のタイミングで交換レンズ６に関するデータを受けることができる。
【００３８】
図３は、コマンドデータ通信とホットライン通信を例示するタイミングチャートである。
カメラボディ２は、コマンドデータ通信によりホットライン通信の開始を指示した後、例えば時刻ｔ１以降、ホットライン通信によってアダプター５を介した交換レンズ６からのデータを周期的に受信する。
また、カメラボディ２は、コマンドデータ通信により、アダプター５を介して交換レンズ６との間でデータを送受信する。詳しくは、カメラボディ２は、時刻ｔ２からｔ３、および、時刻ｔ９からｔ１０の間で、アダプター５を介して交換レンズ６から各種データを受信し、時刻ｔ５からｔ６、および、時刻ｔ１２からｔ１３において、アダプター５を介して交換レンズ６へ各種データを送信し、その合間の時刻ｔ４、ｔ７、ｔ８およびｔ１１において、それぞれ、フォーカス駆動指示および絞り駆動指示などの移動部材の移動制御に関する指示を、アダプター５を介して交換レンズ６へ送信する。
【００３９】
本実施形態において、コマンドデータ通信は、送受信するデータの種類が多く、また、アダプター５を介した交換レンズ６への指示頻度も高い。また、データの種類によっては送受信に要する時間が長くなってしまい、時刻ｔ２からｔ３、時刻ｔ５からｔ６、時刻ｔ９からｔ１０、および、時刻ｔ１２からｔ１３で各種データを送受信する時間は、時刻ｔ４、ｔ７、ｔ８およびｔ１１で指示を送信する時間より長い。
【００４０】
アダプター５は、例えば、コマンドデータ通信によって送られるカメラボディ２からの指示に応じて、交換レンズ６の情報（焦点距離）を示すデータをカメラボディ２へ送信する。アダプター５はさらに、カメラボディ２から送信されるカメラボディ２の情報（フレームレート、カメラボディ２の設定等）を示すデータを受信して交換レンズ６に送信する。
【００４１】
コマンドデータ通信は、１回の送受信に要する時間も長く、送受信の頻度も多いため、短い周期でのデータ通信を継続して行うことが難しい。
これに対し、ホットライン通信は、コマンドデータ通信に用いる通信部とは異なる通信部を用いるため、アダプター５からカメラボディ２へのデータ通信を短い周期で継続して行うことができる。例えば、ホットライン通信を、カメラボディ２の起動処理が終わってから露光中も含めて遮断処理まで、所望の期間に行うことができる。また、ボディ側第２通信部２４０ｂへの出力を、シリアル通信にするかパルス信号にするかの切替指示も行うことができる。
ホットライン通信の開始指示と終了指示と切替指示は、コマンドデータ通信によってカメラボディ２からアダプター５へ送信されるがこの限りではない。
【００４２】
＜アダプター側第２通信部５４０による通信＞
次に、図４を用いて、アダプター側第２通信部５４０による通信について説明する。図４は、ＨＣＬＫ信号、ＨＤＡＴＡ信号、Ｓｉｇ１信号およびＳｉｇ２信号のタイミングを例示する。アダプター側第２通信部５４０は、第２通信でシリアル通信またはパルス信号の送信を行うことができる。第２通信の切替は、アダプター側制御部５３０から出力された切替指示に基づいて、切替え部５４６により行われる。
【００４３】
（パルス信号の送信）
アダプター側第２通信部５４０は、検出部６７５から出力された２つのパルス信号Ｓｉｇ１、Ｓｉｇ２を、ボディ側第２通信部２４０ｂに向けて出力する。ボディ側第２通信部２４０ｂまたはボディ側制御部２３０は、入力されたパルス信号に基づいて、所定期間のパルス数を数えることにより、フォーカスレンズ６６１の移動量と移動方向を認識することができる。ボディ側制御部２３０は、フォーカシングレンズ６６１の移動量に基づいて、焦点調節処理などを行う。カメラボディ２は、撮像素子２６０のフレームレートなどに合わせた周期で、パルス信号からフォーカシングレンズ６６１の移動量への変換を行うことが可能であり、より焦点調節の精度を向上させることができる。
アダプター側第２通信部５４０によるパルス信号Ｓｉｇ１、Ｓｉｇ２の出力の開始と停止は、アダプター側第１通信部５３４を介したコマンドデータ通信によりカメラボディ２から指示される。
【００４４】
（ホットラインデータの送信）
１回のホットライン通信では、アダプター５からカメラボディ２に対して、１つのＨＣＬＫ信号５０２に同期させて１つのホットラインデータ（ＨＤＡＴＡ信号５０３）が送信される。
本実施の形態によるカメラシステム１では、ホットライン通信の開始指示を送受信する前に予めアダプター５とカメラボディ２との間で、ホットライン通信に関することが取り決められている。ホットライン通信に関することとして、例えば、１回のホットライン通信により送信するＨＤＡＴＡ信号のデータ長（バイト数）、ＨＤＡＴＡ信号に含めるデータとその順序、ＨＣＬＫ信号のクロック周波数、周期（図４のＴｉｎｔｅｒｖａｌ）、１周期における通信時間（図４のＴｔｒａｎｓｍｉｔ）等がある。本実施形態では、ＨＣＬＫ信号の周波数は２．５ＭＨｚ、１回のホットライン通信のデータ長はコマンドパケット４０２より長く、１回のホットライン通信の周期は１ミリ秒、１周期における通信時間は送信間隔の７５%未満とするが、この限りではない。また、ホットライン通信に関する取り決めは、コマンドデータ通信で行われる。なお、１回のホットライン通信とは、ホットライン通信の１周期で行われるデータ送信のことをいい、カメラボディ２からのコマンドデータ通信によるホットライン通信開始指示からホットライン通信終了指示までとは異なる。
【００４５】
まず、ホットライン通信におけるアダプター側第２通信部５４０の動作について説明する。アダプター側第２通信部５４０は、時刻ｔ３１以前にアダプター側第１通信部５３４を介したコマンドデータ通信によりホットライン通信の開始の指示が受信されると、ボディ側第２通信部２４０ｂへのＨＣＬＫ信号の出力を開始する（ｔ３１）。ＨＣＬＫ信号は周期的にアダプター側第２通信部５４０から出力されるものであり、図４では、ＨＣＬＫ信号５０２、５０２´、…として示される。
【００４６】
アダプター側第２通信部５４０は、ＨＣＬＫ信号に同期して、ＨＤＡＴＡ信号を出力する。ＨＤＡＴＡ信号は、ＨレベルとＬレベルの切り替えで示される。１つのＨＤＡＴＡ信号は所定のデータ長であり、図４ではＤ０からＤ７の８ビットを含む１バイトがＮ個分あるものとして表す。１つのＨＤＡＴＡ信号は、固定長とするために未使用のビット領域や未使用のバイト領域を含めてもよい。未使用のビット領域や未使用のバイト領域には、予め定められた初期値が入力される。ＨＤＡＴＡ信号はＨＣＬＫ信号５０２、５０２´、…に同期させて周期的にアダプター側第２通信部５４０から出力されるものであり、図４では、ＨＤＡＴＡ信号５０３、５０３´、…として表す。
アダプター側第２通信部５４０は、ＨＤＡＴＡ信号の送信が完了すると（ｔ３２）、次のＨＤＡＴＡ信号の送信を開始する時刻ｔ３４までＨＣＬＫ信号の出力を停止する。時刻ｔ３１からｔ３２までを１回のホットライン通信とし、時刻ｔ３１からｔ３４までをホットライン通信の１周期とする。レンズ側第２通信部３４０ｂは、時刻ｔ３４から２回目のホットライン通信を開始する。
アダプター側第２通信部５４０は、コマンドデータ通信によってカメラボディ２からホットライン通信の終了の指示が送信されるまで、周期的にホットライン通信を続ける。
【００４７】
アダプター側第２通信部５４０は、変換部５４４によりパルス信号から変換されたＨＤＡＴＡ信号５０３、５０３´、…をボディ側第２通信部２４０ｂに送信する。
アダプター側第２通信部５４０の変換部５４４は、パルス信号Ｓｉｇ１，Ｓｉｇ２をＨＤＡＴＡ信号５０３、５０３´、…に変換する。変換部５４４は、ホットライン通信の１周期と同じ周期で、パルス信号Ｓｉｇ１、Ｓｉｇ２によるパルス数を計数し、計数値をＨＤＡＴＡ信号に含ませる。例えば、変換部５４４は時刻ｔ３１からｔ３４のパルス信号Ｓｉｇ１，Ｓｉｇ２のパルス数を係数し、時刻ｔ３４からのホットライン通信で送信されるＨＤＡＴＡ信号５０３´に係数値を含ませる。本実施形態では、変換部５４４は、ＨＤＡＴＡ信号にパルス数の係数値のみを含ませることとしたが、ＨＤＴＡ信号のデータ長の範囲内であれば係数値以外に他のデータをＨＤＡＴＡ信号に含ませることとしてもよい。また、変換部５４４は、予め取り決められたホットライン通信の周波数のＨＣＬＫ信号を生成する。変換部５４４は、上記ＨＣＬＫ信号を、切替え部５４６を構成する切替え器５４６ａへ出力する。また、変換部５４４は、生成したＨＤＡＴＡ信号とＨＣＬＫ信号を、切替え部５４６へ出力する。
変換部５４４は、例えばＤＭＡ（Direct Memory Access）機能を用いて、不図示のメモリのデータ領域に格納されているデータをＨＤＡＴＡ信号として効率良く転送する。ＤＭＡ機能は、ＣＰＵの介在なしに自動でメモリ上のデータにアクセスする機能である。
切替え部５４６は、変換後の信号をシリアル通信で出力するか変換前のパルス信号を出力するかを切替える。切替え部５４６に対する切替え指示は、アダプター側制御部５３０によって行われる。
【００４８】
次に、ホットライン通信におけるボディ側第２通信部２４０ｂの動作について説明する。
ボディ側第２通信部２４０ｂは、アダプター５からＨＤＡＴＡ信号の送信が開始され、その開始時点ｔ３１から所定時間Ｔｅｒｒｏｒ０経過後（時刻ｔ３３）までに所定長のデータの受信を完了（ｔ３２）すると、正常に通信できたとして受信したデータを確定する。所定時間Ｔｅｒｒｏｒ０は、１周期における通信時間Ｔｔｒａｎｓｍｉｔに余裕を持たせた時間であり、例えば、１周期の８０%とする。ボディ側第２通信部２４０ｂは、時刻ｔ３１から１周期が経過すると、次のＨＤＡＴＡ信号の受信を開始する（ｔ３４）。
【００４９】
ボディ側第２通信部２４０ｂは、アダプター側第２通信部５４０によりＨＤＡＴＡ信号の送信が開始されてから、所定時間Ｔｅｒｒｏｒ０以内に所定長のデータの受信を完了しない場合には、正常に通信できなかった（通信エラー）として受信したデータを破棄する。
なお、ホットライン通信において、1周期における通信時間（Ｔｔｒａｎｓｍｉｔ）は、各周期の間（時刻ｔ３３からｔ３４の間）で通信エラー処理などが行えるように７５％を超えないのが好ましいが、この限りではない。
【００５０】
上述した実施の形態によれば、次の作用効果が得られる。
アダプター５は、クロック信号を出力するので、交換レンズ６から出力されたパルス信号Ｓｉｇ１、Ｓｉｇ２に基づいたシリアル通信を、クロック信号に同期させてカメラボディ２へ送信することができる。アダプター５は、パルス信号Ｓｉｇ１、Ｓｉｇ２に基づくシリアル通信を出力でき、カメラボディ２へ交換レンズ６からの情報を入力することができる。アダプター５は、２つの端子を用いてパルス信号Ｓｉｇ１、Ｓｉｇ２をカメラボディ２へ送信することもでき、カメラボディ２へ交換レンズ６からの情報を入力することができる。アダプター５は、パルス信号Ｓｉｇ１、Ｓｉｇ２をシリアル通信に変換するか否かを切替可能であり、パルス信号からシリアル通信への変換をアダプター５で行うか、カメラボディ２で行うかを選択できる。アダプター５は、カメラボディ２からの指示を受信する端子をシリアル通信の端子とは別に備えるので、カメラボディ２からの指示に基づいたタイミングでパルス信号からシリアル通信への変換を行うことができる。また、アダプター５は、カメラボディ２からの指示を受信する端子と交換レンズへの指示を送信する端子とを、シリアル通信の端子とは別に備えるので、カメラボディ２からの指示を交換レンズ６へ送信することができる。アダプター５は、クロック信号を生成するとともにパルス信号Ｓｉｇ１、Ｓｉｇ２からシリアル通信で送信するデータを算出するので、容易にパルス信号Ｓｉｇ１、Ｓｉｇ２からシリアル通信への変換が可能である。交換レンズ６から２つのパルス信号Ｓｉｇ１、Ｓｉｇ２が出力されるので、フォーカシングレンズ６６１の移動方向と移動量を認識した制御を行うことができる。
【００５１】
本発明は上述した内容に限定されるものではない。本発明の技術的思想の範囲内で考えられるその他の態様も本発明の範囲内に含まれる。
検出部６７５が２相のエンコーダー出力としてパルス信号Ｓｉｇ１、Ｓｉｇ２を出力する例を説明したが、１相のエンコーダーのパルス信号のみを出力するものでもよい。１相の出力の場合は、交換レンズ６の端子１５に接続するものとする。
【符号の説明】
【００５２】
１…カメラシステム、２…カメラボディ、５…アダプター、６…交換レンズ、２３０…ボディ側制御部、２３５…記憶部、２４０ａ…ボディ側第１通信部、２４０ｂ…ボディ側第２通信部、５３０…アダプター側制御部、５３４…アダプター側第１通信部、５４０…アダプター側第２通信部、５４４…変換部、５４６…切替え部、５６０…スイッチ、６３０…レンズ側制御部、６３４…レンズ側通信部、６６０…撮像光学系、６７０…レンズ駆動部、６７５…検出部
【図１】
2020013087.tif 000003
【図２】
2020013087.tif 000004
【図３】
2020013087.tif 000005
【図４】
2020013087.tif 000006